(57)【要約】【課題】野球やソフトボールにおいて正しいバットの握り方を習得させて、間違ったバットスイングによる怪我のおそれをなくし、長打率を向上させるためのバットを提供する。【解決手段】引き手グリップ１２と、ヘッド部１４とが互いに離間してロッド２０により連結され、引き手グリップ１２と、ヘッド部１４の間を、ロッド２０に沿って往復移動自在に押し手グリップ１６が配設されていることを特徴とするスイング矯正用バット１０である。【選択図】        図１
2004329541.tif 000002
【特許請求の範囲】
【請求項１】
引き手グリップと、ヘッド部とが互いに離間してロッドにより連結され、
前記引き手グリップと、前記ヘッド部の間を、前記ロッドに沿って往復移動自在に押し手グリップが配設されていることを特徴とするスイング矯正用バット。
【請求項２】
前記引き手グリップの上端部と前記押し手グリップの下端部には、それぞれストッパが配設されていることを特徴とする請求項１に記載のスイング矯正用バット。
【請求項３】
前記ロッドには、前記押し手グリップの移動範囲を規制する調節ストッパが配設されていることを特徴とする請求項１または２に記載のスイング矯正用バット。
【請求項４】
前記ロッドには、雄ネジ加工がなされており、前記調節ストッパは、当該ロッドに螺着されていることを特徴とする請求項３に記載のスイング矯正用バット。
【発明の詳細な説明】
【０００１】
【発明の属する技術分野】
本発明は、野球又はソフトボール等の球技用の矯正用バットに関し、より詳細には、バットをスイングする際におけるグリップの使い方を矯正するために用いられるスイング矯正用バットに関する。
【０００２】
【従来の技術】
従来、野球やソフトボール等で行われるスイング練習においては、打席において実際に使用するバットより重量のある素振り用バットを用いて練習をし、重いバットに慣れておき、打席に入った後には実際に用いるバットと素振り用バットとの重量差により、スイングスピードが高められ、長打を狙う方策が広くとられている。
【０００３】
【発明が解決しようとする課題】
しかしながら、いくらバットのスイングスピードを向上させても、グリップの使い方が悪ければ、正しいスイングをすることができず、思うように長打を得ることができないばかりか、スイングスピードが向上しているため、手や腕、さらには腰等に過大な負担を与えることになるので、怪我の原因になることも考えられるといった課題がある。
【０００４】
また、怪我の防止や長打率の向上を目的として、正しいバットのスイングを教授しようとする場合、押し手と引き手の使い方がポイントとなる。大部分のバッターは、引き手の使い方に関しては指導を要することがなく、指導を要する場合であっても、容易に指導することができる。
スイングの矯正を要するバッターのほとんどは、押し手の使い方を指導しなければならない。押し手の使い方はスイング中に変化するため、そのタイミングを口頭で説明してもわかりにくく、また、習得の度合いを確認することが困難であるため、押し手の使い方の指導および習得が思うようにいかないという課題もある。
【０００５】
本願発明者は、正しいバットのスイングを習得することが可能なスイング矯正用のバットを特許文献等の検索および一般市場において調査したが、該当する情報は見つけることができなかった。
本願発明は、バットスイング時の正しいグリップの使い方を簡単に指導・習得することができるスイング矯正用バットを開発することにより、間違ったバットスイングを簡単に矯正することができ、怪我のおそれがなく、しかも長打率を向上させることができるスイング矯正用バットの提供を目的としている。
【０００６】
【課題を解決するための手段】
以上の課題を解決し、目的を達成するために、本発明は以下に示す構成を有している。
すなわち、引き手グリップと、ヘッド部とが互いに離間してロッドにより連結され、前記引き手グリップと、前記ヘッド部の間を、前記ロッドに沿って往復移動自在に押し手グリップが配設されていることを特徴とするスイング矯正用バットである。
これにより、バットをスイングをした際に、正しいスイングができた場合には、押し手グリップと引き手グリップとがインパクト時において衝突して音を発するので、正しいスイングができたことが自分でも他人からも確認することできるので、スイング時における正しいグリップの指導や習得が容易になる。
【０００７】
また、前記引き手グリップの上端部と前記押し手グリップの下端部には、それぞれストッパが配設されていることが好ましい。
ストッパの形状としては、例えばつば状のもの等が使用できる。
これにより、押し手ストッパと引き手ストッパとの間に手を挟んで負傷してしまうおそれがなくなると共に、押し手ストッパと引き手ストッパが衝突した際において、衝突音を大きくすることができるので、正しいスイングができたことを明確に認識することができる。
【０００８】
さらに、前記ロッドには、前記押し手グリップの移動範囲を規制する調節ストッパが配設されていることが好ましい。
これにより、ユーザの技術レベルに応じて、押し手グリップの位置を調節することができる。
さらにまた、前記ロッドには、雄ネジ加工がなされており、前記調節ストッパは、当該ロッドに螺着されていることが好ましい。
これにより、任意の位置で押し手グリップの位置を調節することができるので、ユーザの体格や熟練度に応じて適宜押し手グリップの稼動範囲を設定することができ、幅広いユーザを対象にすることが可能になる。
【０００９】
なお、本明細書中における引き手とは、バットを構えた際において下側にくる手のことを意味し、押し手とは、バットを構えた際において上側にくる手のことを意味している。
具体的には、右打者の場合においては、引き手が左手であり、押し手が右手になる。また、左打者の場合においては、引き手が右手であり、押し手が左手になる。
【００１０】
【発明の実施の形態】
図１は、本発明の一実施例を示す説明図であって、押し手グリップと引き手グリップとが離間した状態を示す斜視図である。また、図２は押し手グリップと引き手グリップとが当接した状態を示す斜視図である。図３は、引き手グリップとロッドの連結状態を示す説明断面図である。
【００１１】
本実施の形態におけるスイング矯正用バット１０は、引き手グリップ１２と、バットのヘッド部に相当するヘッド部１４と、押し手グリップ１６と、調節用ストッパ１８とロッド２０とにより構成されている。
ロッド２０の材料は、強度の点から金属、合成樹脂、複合材等が使用できる。グリップ、ヘッドは通常のバットの材料と同様に、木材、金属、合成樹脂、複合材等が使用できる。
【００１２】
引き手グリップ１２と、ヘッド部１４はロッド２０により互いに離間するように連結されている。引き手グリップ１２とヘッド部１４において、互いに対向するそれぞれの端部には、雌ネジ加工がなされていて、ロッド２０の両端部に形成された雄ネジ２０ａが螺着する。このように、引き手グリップ１２とヘッド部１４とが着脱可能に組み立てられているので、サイズ、重量、形状、材料等の異なる複数種類の引き手グリップ１２やヘッド部１４を用意しておけば、子供から大人まで体力や技能の異なる幅広いユーザに適合したスイング矯正用バットとして提供することができるので好適である。
【００１３】
引き手グリップ１２は、通常のバットのグリップ部分であり、上端部には、ストッパ１２ａが取り付けられている。ストッパ１２ａは、後述するヘッド部１４との間を往復自在に配設されている押し手グリップ１６により、引き手を挟み込んで怪我をしないようにすると共に、押し手グリップ１６のストッパ１６ｂが引き手グリップ１２のストッパ１２ａとが衝突した際に衝突音が発生しやすくするために取り付けられている。
なお、本実施の形態においては、引き手グリップ１２のストッパ１２ａと押し手グリップ１６のストッパ１６ｂはつば状に形成されたゴム板で形成されているが、これに限定されるものではなく、ストッパ１２ａと１６ｂが衝突した際に音が発生しやすく、かつ、耐久性のある合成樹脂により形成することもできるのはもちろんである。
【００１４】
押し手グリップ１６は、筒状に形成されたグリップ部１６ａとストッパ１６ｂとにより構成されている。グリップ部１６ａは、中空構造に形成されていて、グリップ部１６ａの中空部分にロッド２０が挿通されている。これにより、押し手グリップ１６はヘッド部１４と引き手グリップ１２との間を自由に往復することができる。
また、グリップ部１６ａの中空部の口径は、ロッド２０の直径より若干大きく、押し手グリップ１６ががたつかない大きさに形成されており、スイング矯正用バット１０を用いて自然な状態で素振りを行うことができる。
ストッパ１６ｂは押し手グリップ１６の下側端部に設けられているのはいうまでもない。
【００１５】
ロッド２０のヘッド部１４と押し手グリップ１６との間には押し手グリップ１６の移動範囲を規制するための調節用ストッパ１８が配設されている。ロッド２０には、ヘッド部１４および引き手グリップ１６との連結用の雄ネジ２０ａの他に、調節用ストッパ１８を移動させるための調節用雄ネジ２０ｂも形成されている。調節用雄ネジ２０ｂは、ヘッド部１４および引き手グリップ１６との連結用の雄ネジ２０ａと一体に形成されていてもよいし、それぞれを別個に形成してもよいのはもちろんである。
【００１６】
調節用ストッパ１８は、簡単なものとしては、ロッド２０に挿通させた押し手グリップ１６の外径と同程度の外形を有するナット１８ａによりなすこともできるが、素振りを繰り返すうちにナット１８ａの位置が徐々にずれてしまうおそれがあり、正しいスイングの習得に支障をきたすおそれがある。
そこで、押し手グリップ１６の外径と同程度の外形を有するナット１８ａを複数配設し、ナット１８ａ同士を互いに当接させながら締め付けすれば、素振りを繰り返しても調節用ストッパ１８の位置がずれてしまうことがないため好適である。さらには、図１に示すようにグリップより大径に形成されたワッシャ１８ｂを介してワッシャ１８ｂの両側面からナット１８ａを締め付けることによって調節用ストッパ１８とすれば、ナット１８ａを締め付ける作業や緩ませる作業がしやすくなるためさらに容易に調節用ストッパ１８の位置調節ができる。
【００１７】
一般的に、打席において正しいスイングをする際においては、スイングの始動からインパクトの直前までの間は、引き手のみで動作をし、インパクト時以降においてのみ、押し手を引き手に押し付けながら振り切るのが良いスイングとされている。以降はこの理論に基づいて、本実施の形態におけるスイング矯正用バット１０の使用方法について説明する。
【００１８】
まず、ロッド２０の一端側に引き手グリップ１４を連結し、続いて押し手グリップ１６と調節用ストッパ１８をロッド２０に挿通させた後、ロッド２０の他端側に適切な重量のヘッド部１４を連結する。
次にユーザの熟練度に応じて、調節用ストッパ１８の位置を設定する。具体的には、熟練したユーザが確認的に使用する場合においては、押し手グリップ１６の移動量を少なくし、初心者の場合には、押し手グリップ１６の移動量を大きく設定するのが好ましい。
【００１９】
組み立てられたスイング矯正用バット１０を持ち、スイングの構えをすると、押し手グリップ１６が調節用ストッパ１８の位置までスライドする。つまり、押し手と引き手が離れた状態になる。その後、押し手と引き手が離れたままの状態でスイングを始動させ、インパクトに相当する位置において押し手と引き手が衝突するようにしてスイングをする。
正しいスイングができていれば、インパクトに相当する位置で引き手グリップ１２のストッパ１２ａと押し手グリップ１６のストッパ１６ｂとによる衝突音がする。この衝突音が一定のタイミングで発生し、しかも衝突音が大きくなるようにスイングの練習をすれば、正しい押し手と引き手の使い方を習得することができる。
【００２０】
調節用ストッパ１８の位置をずらして、徐々に押し手グリップ１６の移動範囲を狭くしながら上記に説明したスイングの練習をすることにより、押し手と引き手を正しく使ったスイングを習得することができる。さらに練習を重ねるうちに、通常のバットでも押し手と引き手を正しく使ったスイングをすることができるようになり、間違ったスイングが原因で生じる怪我のおそれをなくし、しかも長打率を向上させることができる。
【００２１】
以上、本発明に係るスイング矯正用バットについて詳細に説明してきたが、本発明はこの実施の形態に限定されるわけではない。発明の要旨を逸脱しない範囲において各種の改変がなされても、本発明の技術的範囲内に入るのはもちろんである。
例えば、引き手グリップ１２や押し手グリップ１６のストッパや、調節用ストッパ１８は必ずしも配設する必要はない。この場合には、引き手グリップ１２と押し手グリップ１６とが衝突する端部を金属板や合成樹脂板等により補強しておけば、衝突音が発生しやすくなると共に、グリップの傷みを抑えることができる。
また、調節用ストッパ１８を配設せず、ヘッド部１４を長くすると共に、ロッド２０を短くすれば、押し手グリップ１６の移動量が小さくなるので、通常のバットの形状に近くなるため、トスバッティングやフリーバッティングに用いることができるので、より実践に近い形での練習が可能になる。
【００２２】
【発明の効果】
本発明によれば、固定された引き手グリップに移動可能な押し手グリップが衝突して衝突音がすることにより、正しいスイングができた場合には、インパクト時に相当する位置で衝突音が出るので、スイングをした本人はもとより、周囲の人にも正しいスイングができたか否かを確認することができるため、スイングの矯正の指導や習得が容易に行える。
【００２３】
さらに、引き手グリップと押し手グリップにはストッパが配設されているので、スイング練習をする際に手を挟んでしまうおそれがなく、インパクト時に生じる衝突音を大きくすることができる。
また、ロッドには、押し手グリップの移動範囲を規制する調節ストッパが配設されているので、ユーザの体格や熟練度に応じた引き手グリップの位置にすることができるので、幅広いユーザに適用させることができる。
さらにまた、調節ストッパは、ロッドに形成されたネジ部に螺着されていることにより、調節ストッパの位置調節が容易に行える等といった著効を奏する。
【図面の簡単な説明】
【図１】押し手グリップと引き手グリップとが離間した状態を示す斜視図である。
【図２】押し手グリップと引き手グリップとが当接した状態を示す斜視図である。
【図３】引き手グリップとロッドの連結状態を示す説明断面図である。
【符号の説明】
１０  スイング矯正用バット
１２  引き手グリップ
１２ａ  ストッパ
１４  ヘッド部
１６  押し手グリップ
１６ａ  グリップ部
１６ｂ  ストッパ
１８  調節用ストッパ
１８ａ  ナット
１８ｂ  ワッシャ
２０  ロッド
【図１】
2004329541.tif 000003
【図２】
2004329541.tif 000004
【図３】
2004329541.tif 000005